Podtech/llm-jp-corpus-v4-ja_patent huggingface dataset:
(57)【要約】【課題】  安心して美味しく食べることができてミネラル不足が補えるミネラルの豊富なゆで卵の製造方法の提供。【解決手段】  卵をボイルし、その後に海洋深層水に浸漬することを特徴とする。【選択図】  なし【特許請求の範囲】
【請求項１】
卵をボイルし、その後に海洋深層水に浸漬することを特徴とするミネラルの豊富なゆで卵の製造方法。
【請求項２】
海洋深層水は濃縮したものを用いることを特徴とする請求項１記載のミネラルの豊富なゆで卵の製造方法。
【請求項３】
海洋深層水に浸漬する工程を５℃〜１０℃にて２日以上行うことを特徴とする請求項１又は２記載のミネラルの豊富なゆで卵の製造方法。
【請求項４】
海洋深層水の成分が内部に溶け込んでいることを特徴とするゆで卵。
【発明の詳細な説明】
【技術分野】
【０００１】
本発明は、ミネラルの豊富なゆで卵の製造方法及びゆで卵に関する。
【背景技術】
【０００２】
現代人は、野菜をあまり食べなくなったこと等に伴いミネラルが不足しがちになっており、これを補うためにサプリメントを何種類も摂取したりしている。特許文献１には、カリウム塩やマグネシウム塩の溶液に生卵を浸漬することで、カリウムやマグネシウムを強化含有した栄養強化卵が記載されている。しかし、そのようにカリウム塩やマグネシウム塩等を用いた化学的な手法によりミネラルを強化した卵は、食べるには不安があり、また特別美味しいわけでもないので、誰も好んで食べたいとは思わなかった。
【先行技術文献】
【特許文献】
【０００３】
【特許文献１】特開昭６１−２８９８６０号公報
【発明の概要】
【発明が解決しようとする課題】
【０００４】
本発明は以上に述べた実情に鑑み、安心して美味しく食べることができてミネラル不足が補えるミネラルの豊富なゆで卵の製造方法及びゆで卵の提供を目的とする。
【課題を解決するための手段】
【０００５】
上記の課題を達成するために請求項１記載の発明によるゆで卵の製造方法は、卵をボイルし、その後に海洋深層水に浸漬することを特徴とする。
【０００６】
請求項２記載の発明によるゆで卵の製造方法は、請求項１記載の発明の構成に加え、海洋深層水は濃縮したものを用いることを特徴とする。
【０００７】
請求項３記載の発明によるゆで卵の製造方法は、請求項１又は２記載の発明の構成に加え、海洋深層水に浸漬する工程を５℃〜１０℃にて２日以上行うことを特徴とする。
【０００８】
請求項４記載の発明によるゆで卵は、海洋深層水の成分が内部に溶け込んでいることを特徴とする。
【発明の効果】
【０００９】
請求項１記載の発明によるゆで卵の製造方法は、卵をボイルし、その後に海洋深層水に浸漬することにより、ゆで卵に海洋深層水に含まれる豊富なミネラルが取り込まれ、これを食することで不足しがちなミネラルを十分摂取できる。また、海洋深層水の塩分がゆで卵に溶け込むことで適度な塩味が付くので、調味料を付けなくても美味しく食べることができる。さらに、海洋深層水が溶け込むことで黄身がしっとりした感じになり、ゆで卵の黄身のぼそぼそした感じが苦手な人にも食べやすい。自然にある海洋深層水のみを用い、化学品等を使用しないことで、安心して食べることができる。
【００１０】
請求項２記載の発明によるゆで卵の製造方法は、濃縮した海洋深層水を用いることで、ゆで卵に溶け込むミネラルの量を多くすることができる。
【００１１】
請求項３記載の発明によるゆで卵の製造方法は、海洋深層水に浸漬する工程を５℃〜１０℃にて２日以上行うことで、ゆで卵に海洋深層水のミネラルを確実に溶け込ませることができる。
【００１２】
請求項４記載の発明によるゆで卵は、海洋深層水に含まれる豊富なミネラルや栄養素が内部に溶け込み、自然のミネラルや栄養素に富み、安心して食べることのできるゆで卵となる。また海洋深層水に含まれる塩分が溶け込むことで、塩味の利いた美味しいゆで卵となる。
【発明を実施するための形態】
【００１３】
本発明のゆで卵の製造方法を順に説明すると、まず真水を沸騰させた容器に生卵（鶏卵）を入れ、５〜７分弱火でゆでる。その後、火を止め、蓋をしたまま５〜７分寝かす。その後、ゆでた卵を冷水に入れ約１０分間寝かす。これは、ゆで卵を急激に冷やすことで、食べるときに殻を剥きやすくするためである。次に、冷やしたゆで卵の水をきれいに拭き取り、海洋深層水の入った容器に移し、５℃〜１０℃の冷所にて２〜５日間寝かす。ここで海洋深層水は、富山県の滑川海洋深層水分水施設「アクアポケット」で入手した高濃縮水を使用した。これは富山湾の海底より汲み上げた海洋深層水を、逆浸透膜方式（ＲＯ）により２段処理し、含有成分を高濃縮した全塩濃度１３〜１５％程度の深層水である。この海洋深層水（高濃縮水）の成分分析表を表１に示す。その後、寝かしたゆで卵を海洋深層水から取り上げ、海洋深層水を拭き取れば出来上がりとなる。出来上がり後は１０℃以下の冷所にて保存する。
【表１】
2011182724.tif 000002
【００１４】
上述の手順によりミネラル強化ゆで卵を作り、そのゆで卵のミネラルの含有量を測定した。測定結果を表２に示す。実施例１は海洋深層水に３日間浸漬したもの、実施例２は海洋深層水に５日間浸漬したものである。また比較例として、海洋深層水に浸漬しない通常のゆで卵についてもミネラルの含有量を測定した。
【表２】
2011182724.tif 000003
【００１５】
表２に示すように、海洋深層水に浸漬した実施例１，２は、海洋深層水に浸漬しない比較例と比べて、ナトリウム、カルシウム、マグネシウム共、大幅に増加していることが確認された。また、海洋深層水に浸漬する時間を長くすると、ゆで卵に溶け込むミネラルの量が多くなることが分かる。
【００１６】
以上に述べたように、卵をゆでた後に海洋深層水に浸漬することにより、海洋深層水に豊富に含まれるミネラルや栄養素がゆで卵の内部にうまく溶け込み、これを食することでミネラルや栄養素が補え、健康を増進する効果が期待できる。また、海洋深層水に含まれる塩分が溶け込むことで、ゆで卵に適度に塩味が付くので、調味料を付けなくても美味しく食べることができる。さらに、海洋深層水が溶け込むことで黄身がしっとりした感じになり、黄身のぼそぼそした感じがなくなって食べやすくなる。本ゆで卵は、自然の海洋深層水のみを使用し、化学品等を全く使用しないため、安心して食することができる。
【００１７】
先に述べた例では、ゆで卵を海洋深層水に浸漬する前に冷水（真水）で冷やしているが、この工程を省略し、ボイルしたゆで卵をあら熱を取ってすぐに冷たい海洋深層水に浸漬してもよい。こうすることでゆで卵に海洋深層水がより浸透しやすくなり、海洋深層水に浸漬する時間を短縮することができる。この方法によれば、海洋深層水に浸漬する時間を１５時間程度としても、ゆで卵に海洋深層水のミネラルや栄養素及び塩分を十分に溶け込ませることができる。
【００１８】
本発明は以上に述べた実施形態に限定されない。卵のゆで方は好みに応じて適宜調節すればよく、固ゆででも半熟でもよい。海洋深層水は、濃縮水を用いることが好ましいが、原水を用いてもよい。また海洋深層水は、脱塩処理したものを用いてもよい。卵は、鶏卵の他、うずらの卵等であってもよい。
(57)【要約】【課題】    審美性を向上させたコーヒー組成物を提供する。【解決手段】インスタントコーヒーに金箔を混ぜ合わせる。【選択図】  なし【特許請求の範囲】
【請求項１】
金箔と、インスタントコーヒーとを含むコーヒー組成物。
【請求項２】
金箔を0.01〜0.1重量％含む請求項１に記載のコーヒー組成物。
【請求項３】
インスタントコーヒーが、フリーズドライ法によって製造されたインスタントコーヒーである請求項１又請求項２に記載のコーヒー組成物。
【発明の詳細な説明】
【技術分野】
【０００１】
この発明は、コーヒー組成物、中でも審美性に優れたコーヒー組成物に関する。
【背景技術】
【０００２】
コーヒーは、その優れた芳香や、豊富に含んでいるカフェインによる覚醒作用から、人々に好まれており、中でも、いわゆるインスタントコーヒーはその手軽さから多くの愛好者がいる。
【０００３】
一方、食品の味や香りを高めることにより消費者の購買意欲を高めるだけではなく、食品の形状や見栄えなどを向上させることによって購買意欲を高めることが、多くの食品で行なわれている。例えば、日本酒に金箔を入れて審美性を高め、食品としての価値、特に贈答品としての価値を高めることが行なわれている（非特許文献１を参照）。
【０００４】
しかし、インスタントコーヒーについては味、香り、保存性を向上させることについては研究されているものの、審美性の向上については研究されていなかった（特許文献１を参照）。
【先行技術文献】
【特許文献】
【０００５】
【特許文献１】特開平１１−２６６８４２号公報
【非特許文献】
【０００６】
【非特許文献１】天領酒造株式会社、特別本醸造「喜金」、［平成２２年２月１日検索］、インターネット＜http://www.tenryou.biz/jp/honjou/kikin.html＞
【発明の概要】
【発明が解決しようとする課題】
【０００７】
そこで、この発明は、審美性を向上させたコーヒー組成物を提供することを目的とする。
【課題を解決するための手段】
【０００８】
この発明は、インスタントコーヒーに金箔を混ぜ合わせたことを主な特徴とする。
【発明の効果】
【０００９】
この発明のコーヒー組成物が金箔を含んでいるため、この金箔が持つ貴金属光沢によってコーヒー組成物及びこれから作られたコーヒー飲料の審美性が向上する。なお、金は化学的に安定している物質であるため、人体に悪影響を及ぼす可能性はない。
【発明を実施するための形態】
【００１０】
この発明のコーヒー組成物は、（１）インスタントコーヒーと（２）金箔とを少なくとも含んでいる。以下に、これらの成分について詳説する。
【００１１】
（１）インスタントコーヒー
【００１２】
ここでいうインスタントコーヒーは、市販のインスタントコーヒーであればよく、焙煎粉砕したコーヒー豆から熱湯を使用して可溶性コーヒー固形物を抽出して製造したものであり、例えば、コーヒー豆からスプレードライ法、フリーズドライ法によって製造したものである。中でも、風味がよいことから、フリーズドライ製法により製造したものが好ましい。
【００１３】
また、原料となるコーヒー豆は、ブラジル産、コロンビア産等の中南米産、インドネシア産、ベトナム産等のアジア産、エチオピア産、タンザニア産等のアフリカ産等のコーヒー豆、又はこれらの複数種をブレンドしたものである。
【００１４】
（２）金箔
金箔の厚さは0.5〜1.5μmm程度のものが好ましい。厚さが、0.5μmm以上であれば、インスタントコーヒーに混ぜても強度的に金箔が破れることはない。また、厚さが1.5μmm以内であれば、インスタントコーヒーに混ぜても舌触りが悪化せず、コーヒー組成物の原価に与える影響も少ない。
【００１５】
金箔の形状は、短冊形、正方形、円形、桜型、星型等の任意のものでよいが、製造の容易さを考えると短冊状が好ましい。また、金箔の大きさは任意のものでよいが、強度や原価に与える影響などを考慮すると、例えば短冊形の場合であれば、長辺の長さが1mm程度であるのが好ましい。
【００１６】
コーヒー組成物は、金箔を0.01〜0.1重量％含んでいることが好ましい。コーヒー組成物が、0.01重量％以上の金箔を含んでいれば、金箔に存在感があり、審美性が向上する。また、コーヒー組成物が、100gあたり金箔を0.1重量％以下しか含んでいなければ、審美性を向上させても、原価にそれほど影響を与えない。
【００１７】
（３）その他
この発明のコーヒー組成物は、（１）インスタントコーヒーと（２）金箔の他にも、砂糖や粉末クリームなどインスタントコーヒーとともに通常使用される他の成分を含んでいてもよい。なお、これら他の成分の配合量は、金箔を含まない通常のコーヒー組成物と同様の範囲であればよい。
【００１８】
また、この発明のコーヒー組成物は、通常の瓶詰めのほか、袋づめ、スティック状の少量包装で販売してもよい。また、スティック状に少量包装したコーヒー組成物を紙コップや化粧箱に入れたものであってもよい。
【実施例１】
【００１９】
厚さ1.0μmの金箔を短冊形（１mm×0.5mm）に切断した。この金箔0.04125gをインスタントコーヒー100gに加えてよく混ぜ合わせ、コーヒー組成物を調製した（0.04123重量%）。そして、コーヒー組成物5gに100℃、200mlの熱湯を注いでコーヒーを入れた（実施例）。一方、金箔を含まないインスタントコーヒー5gに100℃、200mlの熱湯を注いでコーヒーを入れた（比較例）。
【００２０】
実施例のコーヒーは、その表面に金箔が浮かんで美しさを醸し出しているのに対して、比較例のコーヒーは従来どおりの茶褐色であり審美性に劣るものであった。なお、両者の味に違いは分からなかった。
(57)【要約】【課題】鉢植えの植物を育てるにあたり肥料や殺虫剤のやり過ぎで、大切な植物を枯らしてしまうなど失敗することがある【解決手段】上記問題を解決するために、予め、肥料と殺虫剤などを収納できるポケット付き植木鉢を発明しました。ポケットの中に土と共に遅延型の肥料や殺虫剤を入れておくことで、水やりのたびポケットの穴から少しづつ必要成分が染み出し植物に急激なストレスを与えることなく、見栄えも良い。【選択図】図２
2011182766.tif 000002
【特許請求の範囲】
【請求項１】
ポケット付き植木鉢は本来の植木鉢の外観を変えることなくきわめて簡単な改良で肥料や殺虫剤を与えることを解決する植木鉢である。
【請求項２】
ポケット自体は植木鉢本体と同時に成形されているため、外れてしまう心配がない一体型であることが一番の特徴である
【請求項３】
ポケットの穴が土で詰まることがあってもそこは水やりの時に必要成分が滲み出すため、問題はない。
【請求項４】
ポケットは、円錐形の半分をつけたような形であるため、鉢の底の方に向かって細くなっており、広く根を張る植物の成長には影響しない。
【発明の詳細な説明】
【技術分野】
【０００１】本発明は、植木鉢の形態に関する発明である。
【背景技術】
【０００２】植物を育てるのには、水やり、肥料、殺虫剤はかかせないが、特に鉢物はその加減が難しい。【０００３】土に卵を産み付けられ、根切り虫などにやられたら一夜して枯れてしまう事がある。その点を解決したい。予防として殺虫剤もポケットにいれておけばいい。【０００４】使用に関しては、普通の植木鉢と何ら変わることなく、ポケットは円錐形を半分にしたかたちでくっついているので、上に伸びる枝にも邪魔にならず根を張る植物にも影響しません。  ましてやそこに土が入ってもかまいません【０００５】ポケットに３ミリから５ミリの穴をランダムに開けて、適量が滲みだすようになっていることが特徴です。【０００６】製造にあたり成型一体型なので量産がきき、色、大きさが自由に選択できる事です。
【発明が解決しようとする課題】
【０００７】従来の方法では、肥料や殺虫剤などを、植物の根の部分に対して徐々に時間をかけて植物に負担をかけずに施すことが困難であるという問題点がある。
【０００８】従来の方法では、肥料や殺虫剤などを与える時に、鉢と一体ではないため、場所が一定せず、見栄えにも影響したり、あちこち動いてしまうという問題点がある。
【０００９】従来の方法では、肥料や殺虫剤などを、植物の根の部分に対して直接施すことが困難であるという問題点がある。
【課題を解決するための手段】
【００１０】本発明では、植木鉢の内側の両脇又は四方につけたポケットの小さい穴から水やりのたび少しずつ肥料や殺虫剤が滲み出すことにより、肥料や殺虫剤を最も必要とするの毛根に成分が届く穴付きポケットを植木鉢の中に設けるということが特徴です。
【発明の効果】
【００１１】本発明では、肥料や殺虫剤などを、植物の根の部分に対して徐々に時間をかけて植物に負担をかけずに施すことができる。
【００１２】本発明では、肥料や殺虫剤などを与える時に、鉢と一体であるため、場所が特定され、見栄えにも影響をあたえずあちこち動いてしまうということがない。
【００１３】本発明では、肥料や殺虫剤などを、植物の根の部分に対して直接施すことができる。
【図面の簡単な説明】
【００１４】
【図１】実際に植物を植えたときの状態を示す物で  上に伸びる枝葉にも下に伸びる根っこにも形態が影響することはない。▲２▼のポケットが示す通り。
【図２】本発明の断面図である  鉢の三分の二ぐらいまでポケットの先端が円錐形半分のかたちで張り付いて伸びている  ▲２▼が本体▲１▼と成形がいっしょであるのが特長です  ▲３▼の穴から肥料がしみ出す。
【図３】基本的に大はポケット４個、小は２個つけるが丸い植木鉢にはその数は自由である。ポケットの拡大図は穴の開け方を示すものである。▲３▼の穴はランダムに開けた方がいい
【発明を実施するための形態】
【００１５】肥料や殺虫剤のやり過ぎで、植物を枯らしてしまうなどの失敗は多いですが遅延型の肥料や殺虫剤と土をまぜて、ポケットに入れておけば効果大です。
肥料切れや殺虫剤切れがなく安心です。
【００１６】ニーズに合わせて、２ポケット型、４ポケット型を用意することが望ましい。
【実施例】
【００１７】本発明品は複雑な仕掛けもいらず本来の植木鉢にポケットをつけるだけで本体の外見に何も影響を与えません。使用にあたっても別に肥料を入れなくても普通に使用できます。
【産業上の利用可能性】
【００１８】産業的には直接影響はないものの製造するにあたりプラスティック工場などには影響をあたえると思います。【００１９】更に材質は、プラスティックでも土でもかまいません。
プラスティック成型の方がコスト的には安くできると思います。
【図１】
2011182766.tif 000003
【図２】
2011182766.tif 000004
【図３】
2011182766.tif 000005
(57)【要約】      （修正有）【課題】糠床は毎日底からかきまぜ、全体に空気を入れ通気を、よくすることにより乳酸菌を増殖させることが必要である。それによって、うまみが増す。底の深い容器で毎日する作業を忘れぬよう、複数の人が一目見たたけで手入したかどうかが判別できる糠漬け容器を提供する。【解決手段】糠漬け容器の外側中心部に回転軸４を設け、外枠に取付けて回転させ、糠床全体を容易にかきまぜることが出来る、又、色違い上蓋の面、外側部に、月、水、金、日と記し、下蓋面に、火、木矢印を記す、糠床の手入れどきに矢印を回して曜日に合せる。そのことにより誰が手入れしても糠床を、かきまぜたかを知ることが出来る特徴ある糠漬け容器。【選択図】図１
2011182772.tif 000002
【特許請求の範囲】
【請求項１】
2011182772.tif 000003
【発明の詳細な説明】
【技術分】
【０００１】  この発明は、上下蓋を設け複数の機能を持つ糠漬け容器に関する。
【背景技術】
【０００２】  従来の、糠漬け容器には、複数の機能を設けたものがなかった。
【発明の開示】
【発明が解決しようとする課題】
【０００３】  これはつぎのような問題点があった。
糠床は毎日全体をかきまぜる必要があり、底の深い容器だと全体をかきまぜるときに課題があり問題であった。又、毎日の手入れ作業をすることを時時忘れることがあった。本発明は以上のような問題を解決するためになされたもの。
【課題を解決するための手段】
【０００４】  糠漬け容器の外側中心部に回転軸を設け、図１０に記した外枠に取付けて回転させ糠床全体を容易にかきまぜることが出来る。又図４に記した、色違い上蓋の面外側部に、月、水、金、日と記し、下蓋面に、火、木、土と記す〔図４〕の７に矢印を記し、糠床の手入れどきに矢印を回転して曜日に合せる、そのことにより誰が手入れしても糠床をかきまぜたかを知ることが出来る。以上の特徴ある糠漬け容器。
【発明の効果】
【０００５】  糠床は毎日底からかきまぜて全体に空気を入れる必要があり、深い容器だと大変であった。通気をよくすることにより乳酸菌が増殖してうまみが増す。その作業が要易に出来る効課がある、又、蓋の一部に曜日を記することにより誰が手入れをしても知ることが出来る特徴ある糠漬け容器。
【発明を実施するための最良の形態】
【０００６】  〔図１０〕の枠に〔図１〕の容器本体を取付し〔図１〕５の部に〔図１１〕１２の部を差込んで回転させる。又〔図４〕２に曜日を記する、〔図４〕７に矢印を設る。以上の構成からなる。
【図面の簡単な説明】
【０００７】
【図１】  本発明容器本体の正面図
【図２】  本発明容器本体の背面図
【図３】  本発明容器本体の平面図
【図４】  本発明容器本体の蓋平面図
【図５】  本発明容器本体の右側面図
【図６】  本発明容器本体の左側面図
【図７】  容器本体付するパッキンの平面図
【図８】  枠の平面図
【図９】  枠の側面図
【図１０】  枠の正面図
【図１１】  クランク棒
【符号の説明】
【０００８】１    容器本体
２    蓋
３    蝶番
４    回転軸
５    クランク部取付部
６    パッキン
７    回転面
８    枠底面
９    プッシュ形ストッパー
１０  枠の柱
１１  クランク棒
１２  回転軸取付部
【図１】
2011182772.tif 000004
【図２】
2011182772.tif 000005
【図３】
2011182772.tif 000006
【図４】
2011182772.tif 000007
【図５】
2011182772.tif 000008
【図６】
2011182772.tif 000009
【図７】
2011182772.tif 000010
【図８】
2011182772.tif 000011
【図９】
2011182772.tif 000012
【図１０】
2011182772.tif 000013
【図１１】
2011182772.tif 000014
(57)【要約】【課題】  市販の散水ホースを使用し、好みの場所に放射状に容易に散水できることを目的とした散水器具を提供する。【解決手段】  植物用灌水装置２において、市販の散水ホース３を庭に配備し、植物に散水を必要とする任意の位置ａに注射針状の先の尖った導水管４を突き刺して備え、前記導水管の対面に放射状に分水させるガイド５を備えた分水装置６を直結したことを特徴とする散水器具。【選択図】図１
2011182771.tif 000002
【特許請求の範囲】
【請求項１】
植物用灌水装置において、市販の散水ホースで散水する過程で、ホースに穴を開けずにホースの任意の位置に注射針状の先の尖った導水管を突き刺して備えたことを特徴とする散水器具。
【請求項２】
前記注射針状の先の尖った導水管の対面に放射状に分水させるガイドを有する分水器具を直結して備えたことを特徴とする請求項１に記載する散水器具。
【発明の詳細な説明】
【発明の詳細な説明】
【技術分野】
【０００１】  本発明は、市販の散水ホースを使用し、植物に散水を必要とする場所に容易に散水できることを目的とした簡易的な散水器具に関する。
【背景技術】
【０００２】  従来は特開２００２−１９９８２１で見られるように、市販の散水ホースで散水する過程で、ホースの任意の位置に穴を開けて、その場所にフィッティング器具を取り付けた構成をしたアイデアがあった。
【発明が解決しようとする課題】
【０００３】  しかし、そのような方法ではホースの任意の位置に穴を開け，フィッティング器具を取り付けるのに一般の家庭では作業しにくいものであった。一方、市場では簡単に器具をホースに連結出来ることが望まれていた。
【０００４】  そこで、本発明者は散水器具において、前記課題を解消させるためホースに穴を開けずにホースの任意の位置に注射針状の先の尖った導水管を突き刺すことを思いついた。植物に散水を必要とする場所に容易に配置された簡易的な散水器具を提供するべく鋭意研究を重ねた結果本発明に至ったのである。
【課題を解決するための手段】
【０００５】  本発明に係る散水器具の要旨とするところは、植物用灌水装置において、市販の散水ホースで散水する過程で、ホースに穴を開けずにホースの任意の位置に注射針状の先の尖った導水管を突き刺して備えたので、植物に散水を必要とする場所に本発明の導水管を突き刺し容易に散水器具を配置したことにある。
【０００６】  また、本発明に係る散水器具において、前記導水管の対面に放射状に分水させるガイドを有する分水器具を直結して備えたことにより導水管より導いた水を常駐作業者なしで放射状に効果的に拡散させることにある。
【発明を実施するための形態】
【０００７】  本発明に係る散水器具は、市販の散水ホースで散水する過程で、ホースに穴を開けずに植物に散水を必要とするホース位置に、注射針状の先の尖った導水管を突き刺して取付けられる。該導水管の注射針状の先の尖った管はホースを突き刺しビニール壁を押し広げシールし水漏れを防止する効果をもつ。
【０００８】  また、前記導水管の対面に放射状に分水させるガイドを有する分水器具を直結して備えた器具をもつ本発明の散水器具は、導水管より導いた水を常駐作業者なしで放射状に拡散させることにより効果的に植物に散水できる。
【実施例】
【０００９】  次に、本発明に係る植物用散水器具の実施例について、図面に基づいて詳しく説明する。【００１０】図１、図２において、符号１は本発明に係る散水器具である。この散水器具１は、植物用灌水装置２において、市販の散水ホース３の任意の位置ａに注射針状の先の尖った導水管４を突き刺して備えたことで先の尖った管はホースの壁を突き刺し破り、ビニール壁を押し広げシールし水漏れを防止する効果をもつ簡易的な散水装置とした。導水管４の材質はステンレスパイプ材または硬質プラスチック等で作られる。【００１１】  前記導水管４の対面に放射状に分水させるガイド５を有する分水装置６を直結して取り付けた。７は連結部で、ねじまたは溶着により接合される。分水装置の材質はプラスティック樹脂で外形状は円柱形または円錐形どちらでもよい。
【発明の効果】
【００１２】  本発明に係る散水器具によれば、市販の散水ホースで散水する過程で、ホースに穴を開けずにホースの任意の位置に注射針状の先の尖った導水管を突き刺して備えたので、植物に散水を必要とする場所に容易に散水器具を配置することができる。また、導水管の注射針状の先の尖った管はホースを突き刺し、ビニール壁を押し広げシールし水漏れを防止する効果をもつ。また、前記導水管の対面に放射状に分水させるガイドを有する分水器具を直結して備えた器具をもつので導水管より導いた水を放射状に拡散させることにより効果的に植物に散水出来る。上記により市販の散水ホースを使用し、好みの場所に本発明器具を配置することで常駐作業者なしで容易に散水できる簡易的な散水器具を一般家庭に提供できる。
【図面の簡単な説明】
【図１】  本発明に係る散水器具の実施例を示す要部拡大断面図である。
【図２】  本発明に係る散水器具の実施例を示す断面図である。
【符号の説明】  １  散水器具
３  市販の散水ホース
４  注射針状の先の尖った導水管
５  放射状に分水させるガイド
６  分水装置
【図１】
2011182771.tif 000003
【図２】
2011182771.tif 000004
(57)【要約】      （修正有）【課題】鳥のように飛び立ち、非常時にはリヤカーがパイロットを守るパラグライダー二輪を提供する。【解決手段】パイロットは、平常時、動力部とリヤカーを背負はないし乗ることもせず、牽引して離発着する。非常時の失速、叉は、追い風での着陸のときは車輪で滑走して安全を図るが、通常は２〜３歩で同時に着地できる。【選択図】図２
2011225193.tif 000002
【特許請求の範囲】
【請求項１】
パイロットの釣り合い部と総合負荷の釣り合い部とリヤカーで構成するパラ二輪。
【請求項２】
パイロットが足で離発着することを基本とする、手離しでリヤカーを牽引操作して負荷を受け持たせ、パイロットの安全を図る方法のパラ二輪。
【発明の詳細な説明】
【発明の詳細な説明】
【背景技術】パラグライダー（以下、パラ）は高度エネルギーで滑空する、技術の発達にともない、斜面上昇風、熱上昇風を高度エネルギーに変換、蓄積して、気象条件によっては一日中滑空できるようになった。離発着の安全をハーネスで軽減しようと改良が進められているが、現在まで車輪を活用する提案はない。
【発明が解決しようとする課題】
エンジンを背負う、動力飛行のパワーパラが普及している、航空法１１条により車体に乗って離発着するのは飛行機である、図１、Ｃパラトライクー、超軽量飛行機は飛行場が必要となる、足で離陸するのは鳥である。鳥人間は民間で自主管理をしている。パワーパラは２５〜３５ｋｇを背負って着陸するので１ｍ以上で失速落下すると２００ｋｇ以上を片足で受け止めて足を折る、２０年来、安全な着陸の方法が求められているが、１１条が足枷となり、いまだに解決を図る人がいない。昔昔、パラの空気取り入れ口を前縁下部に設けることを最初に提案して、前縁のある翼の形になり抵抗を少なくした。その実績から、法律の目的と意義を尊重して、車輪を活用し解決する方法を提案する。
【課題解決の手段】
パイロットは動力とリヤカーを背負わない、乗る事もない。
【発明の技術１】
図、ａパイロットの釣り合い部とパイロットのハーネスと結合する、ｃ総合負荷の釣り合い部とパラのカラビナと結合する、ｅリヤカーは負荷を受け持ち天秤棒は負荷の配分と手離しでも操作できるハンドルである。パイロットの釣り合い部と総合負荷の釣り合い部とリヤカーで構成するパラ二輪。若しくは、パラ二輪ハーネス。パラ二輪動力飛行鳥。パラ二輪リヤカー。
【発明の技術２】
パイロットが足で離発着することを基本とする、手離しでリヤカーを牽引操作して負荷を受け持たせ、パイロットの安全を図る方法のパラ二輪。
【操作の方法】
風に向かって２〜３歩でパラを頭上にあげてから、出力を上げ４〜５歩で離陸上昇する、ｃ総合負荷釣り合い部をパラ（ＰＡＲＡ）が釣り上げる。着陸も同時に着地出来る、非常時の失速、叉は、追い風での着陸のときは車輪で滑走して安全を図るが、通常は２〜３歩で同時に着地できる。
【発明の効果】
着陸のときは失速近くまで減速するが、図２、パラ二輪ハーネスは、風向きが急に変わりやすい時や追い風になった時など失速しないように速度を落とさずに車輪で着陸できる、現在はハーネスの底を滑らせて対処している。
図４、二人乗りで講習するインストラクターは飛行動力３５〜４０ｋｇを背負わずにパラ二輪を牽引して講習をおこない安全を図ることが出来る。１１条と発明の効果により、電動モーターとリチウムイオン二次電池をリヤカーに積載して、鳥のように静かに空を飛ぶ鳥人間は文化である、安全に発展することを願っている。
【図面の簡単な説明】図１、斜視図。図２、正面図。図３、正面図。図４、正面図。
図、ａパイロットの釣り合い部。  ｂ二輪車、リヤカー、飛行動力の釣り合い部。
ｃ総合負荷の釣り合い部。  ｄ天秤棒、リヤカーのハンドル。  ｅ車輪。  ｆ飛行動力、プロペラ。  ｇ転倒防止柵、スタンド。  ＰＡＲＡ  パラグライダーの釣り上げを表現している。
【図１】
2011225193.tif 000003
【図２】
2011225193.tif 000004
【図３】
2011225193.tif 000005
【図４】
2011225193.tif 000006
(57)【要約】【課題】豊かな金色を呈しながら、機械的性質の優れた鋳造用金合金を提供する。【解決手段】Au：70〜75mass%、Ag：6〜13mass%、Pt：0.1〜1ｍass%、Cu：11〜15mass%、Ir、Ru、Rh及び／又はRe：0.05〜0.2mass%、Zn：0.2〜2mass%からなることを特長とする鋳造用金合金。【選択図】なし【特許請求の範囲】
【請求項１】
Au：70〜75mass%、Ag：6〜13mass%、Pt：0.1〜1ｍass%、Cu：11〜15mass%、Ir、Ru、Rh及び／又はRe：0.05〜0.2mass%、Zn：0.2〜2mass%からなることを特長とする鋳造用金合金。
【発明の詳細な説明】
【技術分野】
【０００１】
本発明は、鋳造用金合金に関するものである。
【背景技術】
【０００２】
歯科治療において修復物作製に用いられる鋳造用金合金は、精密鋳造によって所望の形状を与えることができ、適合性に優れる。また、熱処理によって機械的性質を適度に調整できるため、用途はインレー，クラウン，ブリッジ，デンチャーなど多岐にわたる。
歯科に用いる鋳造用金合金の成分は、Auをベースとして、Ag、Pt、Pd及びCuのほか、種々の微量添加元素により構成されるが、その用途によって要求される機械的性質が異なるため、熱処理による軟化，硬化特性を勘案して組成設計する。鋳造用金合金の色調は、Auに上記のような元素を添加するため本来の金の色調が薄まってしまう。従って、高い機械的性質と豊かな金色を両立させることが難しい。なかでも、PtやPd等の白金族元素の添加は、色調を著しく淡黄色化してしまう。
特許文献１には、60〜90重量％のAu、0〜20重量％のAg、0〜7重量％のPd、0〜11重量％のPt、0〜20重量％のCu、0〜2重量％のZn、0〜1重量％のSn及び0〜3重量％のInならびに微量の結晶粒リファイナから成る歯科鋳造用金合金が開示されている。しかし、当該発明の合金は、Pt及びPdが高含有であるため、鋳造用金合金としての色調は淡く、濃い金色の金合金を提供することは困難である。
【先行技術文献】
【特許文献】
【０００３】
【特許文献１】特開平１１−１５２５３１号公報
【発明の概要】
【発明が解決しようとする課題】
【０００４】
本発明の目的は、豊かな金色を呈しながら、機械的性質の優れた鋳造用金合金を提供することにある。
【課題を解決するための手段】
【０００５】
Au：70〜75mass%、Ag：6〜13mass%、Pt：0.1〜1ｍass%、Cu：11〜15mass%、Ir、Ru、Rh及び／又はRe：0.05〜0.2mass%、Zn：0.2〜2mass%からなることを特長とする鋳造用金合金。
【発明の効果】
【０００６】
本発明によれば、豊かな金色調を呈しながら、機械的性質の優れた金合金を提供できる。
【実施例】
【０００７】
（金合金の作製）
本発明の実施例及び比較例の組成を表１に示す。
各金属を秤量し、アーク溶解炉にて溶製し、厚さ1mmまで圧延し裁断して、実施例及び比較例の鋳造用金合金を得た。なお、圧延の途中で大気中、700℃，2hの条件で、熱処理した。
【０００８】
（試験片の作製）
色調評価用試験片は、長さ15×15mm、厚さ1.2mmのワックスパターンを作製し、クリストバライト系埋没材で埋没・焼成した後，真空加圧式鋳造機を用いて鋳造した。次に、鋳造体から埋没材を除去して、スプルーを切断して、片面を鏡面になるまで研磨して仕上げた。
【０００９】
耐力評価用の引張試験片は、前記と同様の鋳造方法で直径2ｍｍ，長さ50mmの丸棒を鋳造し、軟化熱処理として、650℃で10分間、大気中で熱処理した。次に、硬化熱処理として300℃で15分間、大気中で熱処理した。
【００１０】
（色調の評価）
実施例及び比較例の金合金の色調は、純金との色差ΔE＊によって評価した。
色差ΔE＊は、CIELab表色系において、２色間の明度L＊、彩度a＊及び彩度b＊の差（ΔL＊、Δa＊及びΔb＊）の２乗和の平方根で定義される値で、肉眼では判定しづらい色調の差を定量的に表す指標である。色差ΔE＊が大きいほど、２色間の隔たりが大きく、色調が異なることを表す。
純金鏡面と前記方法で作製した試験片鏡面とのΔL＊、Δa＊及びΔb＊を色差計（ビックガードナー社、カラーガイド）で計測し、色差ΔE＊を求めた。
結果を表１に示す。
【００１１】
（耐力の評価）
引張試験片の0.2％耐力を、引張試験機を用いて測定した。
結果を表１に示す。
【００１２】
【表１】
2011225902.tif 000002
【００１３】
（結果）
比較例の金合金の色差ΔE＊がおよそ18〜23の金色であったのに対し、実施例の金合金の色差ΔE＊は18未満の金色であった。従って、本発明に係る金合金は、純金との色差が小さく、従来品に比して豊かな金色調を呈することが確認された。
【００１４】
また、比較例の金合金の耐力が515〜675MPaであったのに対し、実施例の金合金の耐力は552〜639MPaであった。従って、本発明に係る金合金は、従来品に比して劣らず、優れた機械的強度を有することが確認された。
【００１５】
従って、本発明に係る金合金によれば、高い機械的性質と豊かな金色を両立させることができる。
(57)【要約】【課題】粉ミルク缶にはメジャースプーンが付属していますが、正確に測るために缶自体の粉ミルクの取り出し口に、擦り切りの役をする仕切りが付いています。しかし、量が多いときはメジャースプーンに大盛りに粉ミルクを掬うことができ、缶の擦り切りも役目を果たせますが、缶に粉ミルクの量が少なくなってくるとメジャースプーンに大盛りに粉ミルクを掬うことができなくなり、スプーンの先端部分に盛り上がった粉ミルクを擦り切り平にする為には缶の擦り切りの上に粉ミルクが乗ってしまい思うように擦り切れません。 【解決手段】  本発明の擦り切り板を粉ミルク缶自体の擦り切りにセットすることにより、量が少なくなってスプーンの先端部分だけに盛り上がった粉ミルクでも擦り切ることができます。 【選択図】  図１
2011225240.tif 000002
【特許請求の範囲】
【請求項１】
粉ミルク缶には計量カップに山盛りに掬った粉ミルクを正確に計量できるように擦り切りが内蓋に作ってある。しかし、それでは粉ミルクが残り少なくなった時には計量カップに山盛りに掬えず、擦り切ると缶の内蓋の上に粉ミルクが乗ってしまい気持ちよく擦り切ることができない。粉ミルク缶の既存の擦り切りに本発明をセットすることにより、缶内で粉ミルクを気持ちよく擦り切ることが可能となる。
【発明の詳細な説明】
【技術分野】
【０００１】
ミルク缶に残り少なくなったミルクを計量カップで掬った時にスプーンで山盛りいっぱいに掬うことができないため、缶付属の擦り切りではきれいにミルクを擦り切ることができずに缶の内蓋にミルクがこぼれてしまいます。これをなくし気持ちよく計量できるようにするために考案しました。
【背景技術】
【０００２】
本来、粉ミルクの缶には内蓋には計量用カップに掬った粉ミルクを擦り切るための部分が造ってあります。
【０００３】
しかし、ミルク缶に残り少なくなったミルクを計量カップで掬った時にスプーンでいっぱいに掬うことができないため、缶付属の擦り切りではきれいにミルクを擦り切ることができずに缶の内蓋にミルクがこぼれてしまいます。
【０００４】
本発明により擦り切ったミルクはそのまま缶内に落ちる為、缶の内蓋にミルクがこぼれる心配がなく気持ち良くミルクを計量することができます。
【先行技術文献】
【特許文献】
【０００５】
【特許文献１】特開２００３−８１３１８
【０００６】
【特許文献２】特開平６−１７４６０７
【発明の概要】
【発明が解決しようとする課題】
【０００７】
解決しようとする問題点は、缶付属の擦り切りではミルクの量が残り少なくなった時、計量の為にきれいにミルクを擦り切ることができずに缶の内蓋にミルクがこぼれてしまう点である。
【課題を解決するための手段】
【０００８】
本発明の擦り切りを装着することにより擦り切ったミルクはそのまま缶内にもどる。
【発明の効果】
【０００９】
赤ちゃんにミルクを与える時に人間の性としてこぼれることに対してストレスがかかります。それがいつも気持ち良くミルクを計量することができるようになりストレスを減らすことができます。
【図面の簡単な説明】
【００１０】
【図１】図１はミルク缶に装着した本発明の斜視図である。
【図２】図２はミルク缶に装着した本発明の使用例の断面図である。
【図３】図３は本発明の斜視図である。
【図４】図４は本発明の断面図である。
【図５】図５は従来のミルク缶による使用例である。
【図６】図６は本発明の使用例の断面の拡大図である。
【図１】
2011225240.tif 000003
【図２】
2011225240.tif 000004
【図３】
2011225240.tif 000005
【図４】
2011225240.tif 000006
【図５】
2011225240.tif 000007
【図６】
2011225240.tif 000008
(57)【要約】【課題】一体成型で、簡易的合理的にキャップ内の粉茶などを水と瞬時に混合させるキャップ。【解決手段】キャップ本体５の上端部にハンドル１を設け、その下部には止水栓のテーパ状のねじ２、またテーパ状のねじ２の周囲は、ハンドル１を回した際に、一体化したテーパ状のねじ２とキャップ本体５とが、せん断し分離易いように、ごく薄く成型７している。また、その下部には湾曲し先端は鋭利な破断刀３を有し、キャップ本体５内に設けた容器４があり、容器４の底部にアルミシール６を設け、容器４内には、粉茶や粉コーヒー８が格納している。【選択図】図１
2011225276.tif 000002
【特許請求の範囲】
【請求項１】
キャップ部上端部にテーパ状のねじを設けたハンドル、該テーパ状のねじの下部に設けた粉茶や粉コーヒーを格納する容器、その内周のアルミシールを破断させるために湾曲した先端が破断刀を設けたこれらすべてが一体成型で成すことを特徴としたキャップ。
【発明の詳細な説明】
【技術分野】
【０００１】本発明は、ペットボトルのキャップに関するものであり、特に、キャップ上端部に設けたテーパ状のねじを設けたハンドルを回すことで、該テーパ状の下部に設けた湾曲した先端が鋭利な破断刀がキャップ内容器の内周底部に設けたアルミシールを破断しキャップ内容器にお茶やコーヒーなどの粉末をペットボトルに充てんした水へと落下させ瞬時に混合できるようにしたキャップに係るものである。
【背景技術】
【０００２】キャップとしては、ペットボトル内の水の止水するねじ部を有する（以下「従来のキャップ」という）ものが従来一般的に使用されている。
【先行技術文献】
【特許文献】
【０００３】特開２００７−２６１６８５号公報は、第一剤を収納した容器本体と、容器本体の口筒部に装着されたシール、上部キャップと、下部キャップとからなる複数のキャップで、内筒の内周下部には上向き破断刀を立設した突起が設けており、上部キャップを回転降下させることでその破断刀により上述の如くのシールを破断し内容物をペットボトル内に落下させ混合するよう形成してなるキャップ（以下「従来のキャップＢ」という）を開示している。【０００４】  従来のキャップＢにおける複雑なる複数の部品で構成し形成された破断刀を設けキャップに設けた内筒容器に収納した第一剤をペットボトルに落下させ混合させるものである。【０００５】
【特許文献】特開２００６−１５１４５７号公報
【発明の概要】
【発明が解決しようとする課題】
【０００６】本発明は、複雑なる複数の部品で構成する従来のキャップＢ等と異なり、キャップ部に容器と、キャップ上端部に設けたテーパ状のねじ、該ねじの下部に湾曲した先端が破断刀の一体成型とし、キャップ下部に設けたアルミシールを使用時に、該ハンドルを回し降下させ該ハンドルの下部に設けた湾曲した形状でその先端が鋭利な破断刀により容器内周のアルミシールを破断させキャップ内に格納した粉茶や粉コーヒーをペットボトル内に充てんした水に落下させ瞬時に混合させるキャップを提供したものである。
【課題を解決するための手段】
【０００７】上記課題を解決するために、本発明は、下記のキャップを提供する。【０００８】（１）キャップ部上端部にテーパ状のねじを設けたハンドル、該テーパ状のねじの下部に設けた粉茶や粉コーヒーを格納する容器、その内周のアルミシールを破断させるために湾曲した先端が破断刀を設けたこれらすべてが一体成型で成すことを特徴としたキャップ（請求項１）
【発明の効果】
【０００９】［請求項Ｉの発明］
粉茶や、粉コーヒー等を、キャップ内の容器に格納し、ペットボトルに充てんした水に瞬時に混合させ、お茶や、コーヒーなどの芳香や色合いなどを楽しむことにあるが、従来のキャップＢのように、幾つもの個別成型部品で複雑に構成されたキャップであるとコスト高や個別部品の隙間から雑菌の侵入などの危惧が予想される。
本発明は、キャップ、キャップ内の容器、ハンドル部、該ハンドル部に設けたテーパ状のねじ、該ねじの下部に設けた湾曲し容器の内周に沿って該先端が破断刀と全て一体型の成型を成しコストの軽減や、雑菌の侵入を防止している。
【図面の簡単な説明】
【００１０】
【図１】図１は、本発明によるキャップの断面図である。
【図２】図２は、本発明によるキャップの下部平面図である。
【図３】図３は、本発明によるキャップの上部の平面図である。
【図４】図４は、本発明によるキャップ内容器からアルミシールが半落した断面図である。
【発明を実施するための形態】
【００１１】本発明によるキャップは、キャップ本体５の上端部にハンドル１を設け、その下部には止水栓のテーパ状のねじ２、またテーパ状のねじ２の周囲は、ハンドル１を回した際に、一体化したテーパ状のねじ２とキャップ本体５とが、せん断し分離易いように、ごく薄く成型７している。また、その下部には湾曲し先端は鋭利な破断刀３を有し、キャップ本体５内に設けた容器４があり、容器４の底部にアルミシール６を設け、容器４内には、粉茶や粉コーヒー８が格納している。
【実施例】
【００１２】本発明は、先ずキャップ本体５を持ち、ハンドル１を指でつまみ、右に旋回しテーパ状のねじ２を、ごく薄く成型した７からせん断分離し降下させ、降下すると同時にテーパ状のねじ２の下部に設けた湾曲状で先端が鋭利な破断刀３が容器４の内周の底部に張り付けたアルミシール６を切り離すことで、粉茶や粉コーヒー８が瞬時にペットボトル内に落下し水と混合される。
【符号の説明】
【００１３】１  ハンドル
２  テーパ状のねじ
３  湾曲した先端が鋭利な破断刀
４  容器
５  キャップ本体
６  アルミシール
７  ごく薄く成型したテーパ状のねじの周囲
８  粉茶や粉コーヒー
【図１】
2011225276.tif 000003
【図２】
2011225276.tif 000004
【図３】
2011225276.tif 000005
【図４】
2011225276.tif 000006
(57)【要約】【課題】裁断された紙やフエルト、紙製文具などを収納する軟質プラスチックフイルム製の反復開閉自在な粘着封緘式封筒は、封緘開放時に内容物などが露出した封緘用粘着剤に触れて粘着し、損傷したり出し入れに支障をきたしたりすることがある。【解決手段】封緘用粘着剤上又はその近傍に粘着剤の表面よりも高い非粘着性の粘着防止突出部分を設けることにより、封緘開放時に内容物などが粘着部に上載されても突出部上面で支持されるので、それよりも低い位置にある粘着剤には当接しない。【選択図】図１
2011225277.tif 000002
【特許請求の範囲】
【請求項１】
封緘部の本体側と蓋側のいずれか一方に粘着剤を塗布又は貼付して反復開閉自在に構成された軟質プラスチックフイルム製封筒において。
封緘部に帯状に設けられた粘着剤の表面に粘着剤の巾よりも狭い非粘着物を設けた軟質プラスチックフイルム製封筒の封緘構造。
【請求項２】
封緘部に帯状に設けられた粘着剤の表面に、封緘に必要な粘着部分をその片側または両側に残して、紙またはプラスチックフイルムなどの非粘着物を粘着剤のほぼ全長に亘って連続的に貼付した軟質プラスチック製封筒の封緘構造。
【請求項３】
封緘部に帯状に設けられた粘着剤の表面に、封緘に必要な粘着部分をその周囲に残して、紙またはプラスチックフイルムなどの非粘着物を粘着剤のほぼ全長に亘って断続的に貼付した軟質プラスチック製封筒の封緘構造。
【請求項４】
上面に請求項２又は３に示す構成要件を満たして一体に構成されたテープを封緘部に貼付した軟質プラスチックフイルム製封筒の封緘構造
【発明の詳細な説明】
【技術分野】
【０００１】本発明は裁断された紙製品やフエルト等を収納する軟質プラスチックフイルムでつくられた封筒の反復開閉自在な粘着封緘に関する。
【背景技術】
【０００２】一般的な軟質プラスチックフイルム製封筒の反復開閉自在な粘着封緘にはその本体と蓋の接触部分のいずれか一方に粘着剤を塗布、または粘着剤を塗布したテープを貼付して封緘する構造をもっている。【０００３】粘着剤は封緘部分のプラスチックフイルムと相互に粘着して封をするが、開封に際してはフイルムが損傷しない程度の力で容易に粘着を解除する事が出来る。【０００４】粘着剤は反復開閉してもその粘着性を失わず、しかも塗布または貼付された側から被粘着側に剥がれて移動することはない。
【発明の開示】
【発明が解決しようとする課題】
【０００５】しかしながら、前記封緘に使用される粘着手段は反復開閉使用するのに大変便利である反面その内容物を出し入れする際に、内容物が露出した粘着剤に接触すると、これに粘着して出し入れが困難になるばかりか、ときには紙などの表面が接着して剥離してしまい、用紙が無駄になるだけでなく粘着剤が粘着効果を失なって再封緘できなくなるおそれがある。
また、高価な写真プリント用紙などでは表面がわずかに粘着損傷しても使用に耐えなくなってしまう。【０００６】内容物等に粘着しないよう粘着力を弱めると封緘が十分でなくなり不用意に開封してしまったり反復使用が出来なくなる。
【課題を解決するための手段】
【０００７】封緘のために必要な粘着力を保持し、封緘開放時に内容物等が粘着剤に接触しないよう、封緘用粘着剤表面に封緘に必要な粘着剤の露出部分を残して粘着剤の表面よりも高くなるように非粘着性部分を粘着部分上貼付した構造とする。【０００８】封緘が軟質プラスチックフイルムで構成されているため封をするには封筒本体の封緘部分と蓋の部分を重ね合わせたのち、外部から粘着部分を軽く押圧するだけで容易に軟質プラスチックフイルムが非粘着性物の外側に変形して粘着剤に当接し、粘着封緘する。
【発明の効果】
【０００９】本発明を実施することにより、封筒の封緘部分が開放され、出し入れ時の内容物や他の類似物が誤って粘着部分に上載されても上載物は粘着面より高い位置にある非粘着性物の上面に支えられて粘着剤に当接せず、粘着することがない。【００１０】再封緘のさいに封緘部を正しく揃えてから押圧して粘着できるので封緘部が曲がったり皺になったりすることがない。
【発明を実施するための最良の形態】
【００１１】本発明の実施形態について図面を参照して説明する
【実施例】
【図面の簡単な説明】本発明を構成するプラスチックフイルムや粘着物、非粘着性物、テープ等の厚さの実寸法はそれぞれ０．１ｍｍ単位のものであり、各部構成の理解を容易にするため、図面は実寸法との比例関係を無視して描かれている。
また、図１以降の他の実施例の斜視図、断面の位置及び方向は図１の断面イ−ロ−ハに準じている。
【図１】本発明の斜視図
【図２】従来の封緘部で、粘着剤が露出している状態を示す断面拡大斜視図。
【図３】本発明の封緘部の粘着剤の表面に帯状に非粘着性物が連続して突出している状態を示す図１の断面イ−ロ−ハ拡大斜視図。
【図４】本発明の他の実施例、請求項２にかかる封緘部の断面拡大斜視図。
【図５】点線状に薄い非粘着性物を粘着剤の上面に貼付又は塗布した請求項４の断面拡大斜視図。
【図６】本発明の他の実施例で、テープ上に粘着剤と非粘着性物を組み合わせて一体としたものを本体封筒に貼付した状態を示す請求項４にかかる封緘部の断面拡大斜視図。
【図７】本発明による封筒の封緘状態を示す図で、封緘部の蓋である軟質プラスチックフイルムが指先等で押圧されて非粘着性物の外側に変形し、粘着剤に粘着している状態を示す封緘部の断面拡大斜視図。
【図８】本発明の実施による効果の一例で、粘着部分に上載された紙片が非粘着性物に支持されて紙片の下面と粘着剤表面の間に空隙を保っている状態を示す封緘部の断面拡大斜視図。
【符号の説明】１  軟質プラスチックフイルム製封筒の本体。
２  軟質プラスチックフイルム製封筒の封緘蓋部。
３  粘着剤。
４  請求項１に開示する、プラスチック、軟質プラスチック製フイルム、紙等の非粘着性物。
５  請求項３に開示するプラスチック、軟質プラスチック製フイルム、紙等の非粘着性物。
６  請求項４に開示するプラスチック、軟質プラスチック製フイルム、紙等の非粘着性物。
７  テープ
Ａ  紙などの上載物。
ａ  空隙
【図１】
2011225277.tif 000003
【図２】
2011225277.tif 000004
【図３】
2011225277.tif 000005
【図４】
2011225277.tif 000006
【図５】
2011225277.tif 000007
【図６】
2011225277.tif 000008
【図７】
2011225277.tif 000009
【図８】
2011225277.tif 000010
(57)【要約】      （修正有）【課題】従来、ちり取りで取ったゴミをゴミ箱に入れる手間が掛かり、ゴミが上手くゴミ箱に入らないこともあった。ちり取りで取ったゴミを捨てるときゴミ箱に移す手間が省けるゴミ箱を提供する。【解決手段】ゴミ箱の入り口をちり取りの形にする。ゴミ箱の入り口の一部分を平らにして、ちり取りのような形にして、ゴミを取るときは横にして使うようにする。これにより、ちり取りでゴミを取った後、ゴミ箱に移すときゴミがこぼれることもなく、ちり取りの入り口を上に向けるだけでゴミが捨てられる。【選択図】図１
2011225366.tif 000002
【特許請求の範囲】
【請求項１】
ゴミ箱の入り口をちり取りの形にしたちり取り付きゴミ箱
【発明の詳細な説明】
【技術分野】
【０００１】    この発明はゴミ箱の入り口をちり取りの形にしたものである。
【背景技術】
【０００２】    従来、ゴミ箱とちり取りは別々になっていた。
【発明の開示】
【発明が解決しようとする課題】
【０００３】    従来、ちり取りで取ったゴミをゴミ箱に入れる手間が掛かり、ゴミが上手くゴミ箱に入らないこともあった。
【課題を解決するための手段】
【０００４】    この課題を解決するためにゴミ箱の入り口の形をちり取りのような形にした。
【発明の効果】
【０００５】    これにより、ちり取りでゴミを取った後、ゴミ箱に移すときゴミがこぼれることもなく、ちり取りの入り口を上に向けるだけでゴミが捨てられる。
【発明を実施するための最良の形態】
【０００６】    ゴミ箱の入り口の一部分を平らにして、ちり取りのような形にして、ゴミを取るときは横にして使うようにする。
【図面の簡単な説明】
【０００７】
【図１】  本発明の上面図である。
【図２】  本発明の側面図である。
【符号の説明】
【０００８】  １  ちり取り
２  ゴミ箱
【図１】
2011225366.tif 000003
【図２】
2011225366.tif 000004